(57)【要約】【課題】ＶＯＲ装置の表示器とアンテナとが離れて設置されている場合でも、ＶＯＲ装置の電波放射状態と電波放射部位と電波放射動作とを容易に認識することのできるＶＯＲ装置とその運用状態表示方法を提供する。【解決手段】表示装置４０は、電波放射がオン状態のアンテナ１０をシンボル化した表示画面及び電波放射がオフ状態のアンテナ１０をシンボル化した表示画面を備える。このとき、オン状態の表示画面では、キャリアアンテナ及びサイドバンドアンテナを示すシンボルを色識別表示し、サイドバンドアンテナの色識別表示を円形の配列に沿って回転させ、その回転方向を矢印で表示するようにしている。そして、アンテナ１０の接続状況及び制御装置２０の作動状況に基づき、電波放射状態がオンであるかオフであるかを判別し、その結果により上記２つの画面を選択的に識別表示する。【選択図】      図１
2009031105.tif 000002
【特許請求の範囲】
【請求項１】
基準点に対する方位情報を提供するＶＯＲ（VHF Omnidirectional Radio Range）信号を輻射するアンテナと、
前記アンテナによる前記ＶＯＲ信号の輻射を制御する制御部と、
前記制御部が作動しているか否かを判別する第１のセンサと前記アンテナが接続されているか否かを判別する第２のセンサとを備え、前記制御部が作動していないと判別される場合及び、前記制御部は作動しているが前記アンテナは接続されていないと判別される場合に前記ＶＯＲ信号が輻射されていない旨の第１の信号を出力し、前記制御部が作動し、かつ前記アンテナが接続されていると判別される場合に前記ＶＯＲ信号が輻射されている旨の第２の信号を出力する判別部と、
前記ＶＯＲ信号が輻射されていない状態の前記アンテナを概念的に示す第１のイメージ画像及び、前記ＶＯＲ信号が輻射されている状態の前記アンテナを概念的に示す第２のイメージ画像を有し、前記判別部から前記第１の信号を受け取った場合に前記第１のイメージ画像を選択的に識別表示し、前記第２の信号を受け取った場合に前記第２のイメージ画像を選択的に識別表示する表示部と
を具備することを特徴とするＶＯＲ装置。
【請求項２】
前記第２のイメージ画像は、キャリアアンテナと当該キャリアアンテナを中心に円形に配列される複数のサイドバンドアンテナとをそれぞれ抽象的に表すシンボルの図案であり、これらのアンテナのシンボルを色識別表示することで前記ＶＯＲ信号の放射状態を表示することを特徴とする請求項１に記載のＶＯＲ装置。
【請求項３】
前記第２のイメージ画像は、キャリアアンテナと当該キャリアアンテナを中心に円形に配列される複数のサイドバンドアンテナとをそれぞれ抽象的に表すシンボルの図案であり、前記キャリアアンテナのシンボルと前記複数のサイドバンドアンテナのシンボルの一部分とを色識別表示し、前記サイドバンドアンテナのシンボルの一部分の色識別表示を前記円形の配列に沿って順次移動させることで、前記ＶＯＲ信号の放射部位を表示することを特徴とする請求項１に記載のＶＯＲ装置。
【請求項４】
前記第２のイメージ画像は、キャリアアンテナと当該キャリアアンテナを中心に円形に配列される複数のサイドバンドアンテナとをそれぞれ抽象的に表すシンボルの図案であり、前記複数のサイドバンドアンテナが制御される順番を示すシンボルを合わせて表示することで、前記ＶＯＲ信号の放射動作を表示することを特徴とする請求項１に記載のＶＯＲ装置。
【請求項５】
前記第２のイメージ画像は、キャリアアンテナと当該キャリアアンテナを中心に円形に配列される複数のサイドバンドアンテナとをそれぞれ抽象的に表すシンボルの図案であり、
前記キャリアアンテナ及び前記複数のサイドバンドアンテナのシンボルを色識別表示することで前記ＶＯＲ信号の放射状態を表示すること、
前記キャリアアンテナのシンボルと前記複数のサイドバンドアンテナのシンボルの一部分とを色識別表示し、前記サイドバンドアンテナのシンボルの一部分の色識別表示を前記円形の配列に沿って順次移動させることで、前記ＶＯＲ信号の放射部位を表示すること、
前記複数のサイドバンドアンテナが制御される順番を示すシンボルを合わせて表示することで、前記ＶＯＲ信号の放射動作を表示すること
の少なくともいずれかが組み合わさった状態を表示することを特徴とする請求項１に記載のＶＯＲ装置。
【請求項６】
基準点に対する方位情報を提供するＶＯＲ（VHF Omnidirectional Radio Range）信号を輻射するアンテナと、前記アンテナによる前記ＶＯＲ信号の輻射を制御する制御部とを具備するＶＯＲ装置に用いられるＶＯＲ装置の運用状態表示方法において、
前記制御部が作動しているか否かを判別し、
前記アンテナが接続されているか否かを判別し、
前記制御部が作動していないと判別される場合及び、前記制御部は作動しているが前記アンテナは接続されていないと判別される場合に前記ＶＯＲ信号が輻射されていない旨の第１の信号を生成し、
前記第１の信号が得られた場合、前記ＶＯＲ信号が輻射されていない状態の前記アンテナを概念的に示す第１のイメージ画像を選択的に識別表示し、
前記制御部が作動し、かつ前記アンテナが接続されていると判別される場合、前記ＶＯＲ信号が輻射されている旨の第２の信号を生成し、
前記第２の信号が得られた場合、前記ＶＯＲ信号が輻射されている状態の前記アンテナを概念的に示す第２のイメージ画像を選択的に識別表示することを特徴とするＶＯＲ装置の運用状態表示方法。
【発明の詳細な説明】
【技術分野】
【０００１】
本発明は、無線航法施設であるＶＯＲ（VHF Omnidirectional Radio Range）装置と、その運用状態を表示する運用状態表示方法に関する。
【背景技術】
【０００２】
一般に、航空機に基準点磁北からの方位情報を与える装置として、ＶＯＲ装置が使用されている。また、ＶＯＲ装置の一種で、装置周辺の建物等による反射電波の影響を少なくするために、ドップラー効果を利用するＤ−ＶＯＲ装置も普及している。
【０００３】
Ｄ−ＶＯＲ装置のアンテナは、キャリアアンテナと、キャリアアンテナを中心に円形に配列した４８個のサイドバンドアンテナとにより構成されており、キャリアアンテナからは、方位に関係ない一定位相の電波が放射され、サイドバンドアンテナからは、方位により位相が変化する電波が放射される。航空機に設置された受信器は、これら２つの信号を受信し比較することにより、受信地点で基準点、すなわち、Ｄ−ＶＯＲ装置からの方位を知ることができる（例えば、特許文献１参照。）。
【０００４】
ところで、Ｄ−ＶＯＲ装置のアンテナは、その設置場所によっては、その近辺に他機材のアンテナが設置されていたり、併設されていたりすることがある。このため、Ｄ−ＶＯＲ装置は、電波放射のオン状態またはオフ状態を示す表示器を具備し、この表示器の点灯及び消灯によりアンテナからの電波放射状態を把握していた。
【０００５】
しかしながら、Ｄ−ＶＯＲ装置は、表示器が屋内、アンテナが屋外に設置されているため、屋外に設置されているアンテナの電波放射部位及び電波放射動作を、表示器の点灯又は消灯のみで認識することは、Ｄ−ＶＯＲ装置の専門的な知識を有していない限り困難であった。そして、この電波放射部位及び電波放射動作の認識不足により、屋外での保守作業や歩行等の際に、Ｄ−ＶＯＲ装置の運用に影響を及ぼすこともあった。
【特許文献１】特開平２−２４５８６号公報
【発明の開示】
【発明が解決しようとする課題】
【０００６】
以上のように、従来では、ＶＯＲ装置の表示器は電波放射のオン状態又はオフ状態を表示するのみであったため、ＶＯＲ装置のアンテナと表示器とが離れて設置されている場合、アンテナの電波放射部位及び電波放射動作を認識することは困難であった。
【０００７】
そこで、本発明の目的は、ＶＯＲ装置の表示器とアンテナとが離れて設置されている場合でも、ＶＯＲ装置の電波放射状態と電波放射部位と電波放射動作とを容易に認識することのできるＶＯＲ装置とその運用状態表示方法を提供することにある。
【課題を解決するための手段】
【０００８】
上記目的を達成するため、本発明に係るＶＯＲ装置は、基準点に対する方位情報を提供するＶＯＲ（VHF Omnidirectional Radio Range）信号を輻射するアンテナと、前記アンテナによる前記ＶＯＲ信号の輻射を制御する制御部と、前記制御部が作動しているか否かを判別する第１のセンサと前記アンテナが接続されているか否かを判別する第２のセンサとを備え、前記制御部が作動していないと判別される場合及び、前記制御部は作動しているが前記アンテナは接続されていないと判別される場合に前記ＶＯＲ信号が輻射されていない旨の第１の信号を出力し、前記制御部が作動し、かつ前記アンテナが接続されていると判別される場合に前記ＶＯＲ信号が輻射されている旨の第２の信号を出力する判別部と、前記ＶＯＲ信号が輻射されていない状態の前記アンテナを概念的に示す第１のイメージ画像及び、前記ＶＯＲ信号が輻射されている状態の前記アンテナを概念的に示す第２のイメージ画像を有し、前記判別部から前記第１の信号を受け取った場合に前記第１のイメージ画像を選択的に識別表示し、前記第２の信号を受け取った場合に前記第２のイメージ画像を選択的に識別表示する表示部とを具備する。
【０００９】
また、本発明に係るＶＯＲ装置の運用状態表示方法は、基準点に対する方位情報を提供するＶＯＲ（VHF Omnidirectional Radio Range）信号を輻射するアンテナと、前記アンテナによる前記ＶＯＲ信号の輻射を制御する制御部とを具備するＶＯＲ装置に用いられるＶＯＲ装置の運用状態表示方法において、前記制御部が作動しているか否かを判別し、前記アンテナが接続されているか否かを判別し、前記制御部が作動していないと判別される場合及び、前記制御部は作動しているが前記アンテナは接続されていないと判別される場合に前記ＶＯＲ信号が輻射されていない旨の第１の信号を生成し、前記第１の信号が得られた場合、前記ＶＯＲ信号が輻射されていない状態の前記アンテナを概念的に示す第１のイメージ画像を選択的に識別表示し、前記制御部が作動し、かつ前記アンテナが接続されていると判別される場合、前記ＶＯＲ信号が輻射されている旨の第２の信号を生成し、前記第２の信号が得られた場合、前記ＶＯＲ信号が輻射されている状態の前記アンテナを概念的に示す第２のイメージ画像を選択的に識別表示する。
【００１０】
上記構成によるＶＯＲ装置及びその運用状態表示方法では、表示部は、ＶＯＲ信号が輻射されていない状態のアンテナを概念的に示すイメージ画像及び、ＶＯＲ信号が輻射されている状態のアンテナを概念的に示すイメージ画像を備え、判別部での判別結果に基づいて、上記２つの概念図から１つを選択的に識別表示するようにしている。これにより、ＶＯＲ装置の表示装置とアンテナとが離れて設置されている場合でも、ＶＯＲ装置の電波放射状態と電波放射部位と電波放射動作とを正確に認識することが可能となる。
【発明の効果】
【００１１】
本発明では、ＶＯＲ装置の表示器とアンテナとが離れて設置されている場合でも、ＶＯＲ装置の電波放射状態と電波放射部位と電波放射動作とを容易に認識することのできるＶＯＲ装置とその運用状態表示方法を提供することが可能となる。
【発明を実施するための最良の形態】
【００１２】
以下、図面を参照しながら本発明の実施の形態について詳細に説明する。なお、本実施形態では、ＶＯＲ装置の一種であるＤ−ＶＯＲ装置について説明する。
【００１３】
図１は、本発明の一実施形態に係るＤ−ＶＯＲ装置の機能構成を示すブロック図である。図１のＤ−ＶＯＲ装置において、アンテナ１０は、キャリアアンテナと、キャリアアンテナを中心に円形に配列した４８個のサイドバンドアンテナにより構成される。キャリアアンテナは、制御装置２０により制御され、３０Ｈｚの基準位相信号を含んだ電波を放射する。また、サイドバンドアンテナは、制御装置２０の制御により、３０Ｈｚの可変位相信号を含んだ電波を、円形の配列に沿って１秒間に３０回の頻度で順次放射する。
【００１４】
判別装置３０は、制御装置２０が作動しているか否かを判別する制御センサ３１と、アンテナ１０が正常に接続されているか否かを判別するアンテナセンサ３２とを具備している。そして、制御装置２０が作動していない場合及び、制御装置２０が作動し、かつアンテナ１０が接続されていない場合、アンテナ１０から電波が放射されていない旨の信号を表示装置４０に出力する。また、制御装置２０が作動し、かつアンテナ１０が接続されている場合、アンテナ１０から電波が放射されている旨の信号を表示装置４０に出力する。
【００１５】
表示装置４０は、電波の放射がオフである状態のアンテナ１０をシンボル化して示すオフ状態表示画面及び、電波の輻射がオンである状態のアンテナ１０をシンボル化して示すオン状態表示画面を備えている。図２にオフ状態表示画面を示し、図３にオン状態表示画面を示す。図３におけるオン状態表示画面では、中央に位置するキャリアアンテナのシンボルが常に色識別表示される。また、キャリアアンテナを中心に円形に配列される複数のサイドバンドアンテナのシンボルは、２個ずつ２組の合計４個が同時に色識別表示され、これらが円形の配列に沿って矢印の方向に回転する。このとき、色識別表示の回転は、サイドバンドアンテナを示す円形配列のシンボルを１秒間に３０回転するように表示する。また、矢印の方向は、制御装置２０の制御によるサイドバンドアンテナの電子的な回転の方向と一致するようにしている。
【００１６】
そして、表示装置４０は、判別装置３０から電波放射オフの旨の信号を受け取ると、上述のオフ状態表示画面を表示し、電波放射オンの旨の信号を受け取ると、上述のオン状態表示画面を表示する。
【００１７】
次に、上記構成における動作について、判別装置３０の処理動作を説明する。図４は、本発明の一実施形態に係る判別装置３０の処理動作を示すフローチャートである。
【００１８】
まず、判別装置３０は、アンテナ１０の電波の放射を制御する制御装置２０が作動しているか否かを判定する（ステップＳ１）。制御装置２０が作動している場合（ステップＳ１のＹｅｓ）、アンテナ１０が接続されているか否かを判定する（ステップＳ２）。アンテナ１０が接続されている場合（ステップＳ２のＹｅｓ）、アンテナ１０から電波が放射されている旨の信号を表示装置４０へ出力し（ステップＳ３）、動作を終了する。
【００１９】
制御装置２０が作動していない場合（ステップＳ１のＮｏ）、及びアンテナが接続されていない場合（ステップＳ２のＮｏ）、アンテナ１０から電波が放射されていない旨の信号を表示装置４０に出力し（ステップＳ４）、動作を終了する。
【００２０】
以上のように、上記一実施形態において、表示装置４０は、電波放射がオン状態のときのアンテナ１０をシンボル化した表示画面及び電波放射がオフ状態のときのアンテナ１０をシンボル化した表示画面を備えている。このとき、オン状態の表示画面では、キャリアアンテナ及びサイドバンドアンテナの両シンボルを色識別表示し、サイドバンドアンテナのシンボルの色識別表示を円形の配列に沿って回転させ、その回転方向を矢印のシンボルで表示するようにしている。そして、アンテナ１０の接続状況及び制御装置２０の作動状況に基づき、電波放射状態がオンであるかオフであるかを判別し、その結果により上記２つの画面を選択的に識別表示する。これにより、電波放射がオン状態であるとき、Ｄ−ＶＯＲ装置の電波放射状態、電波放射部位、電波放射動作を容易に認識することが可能となる。
【００２１】
したがって、本実施形態の構成によれば、Ｄ−ＶＯＲ装置の運用における電波放射状態、部位および動作が容易に認識できる。これにより、Ｄ−ＶＯＲ装置の専門的な知識を有することなく、屋外に設置されているどのアンテナから電波放射されているかが認識できるようになる。このため、屋外での保守作業や歩行の際に、電波放射状態、電波放射部位、電波放射動作を意識することが可能となり、Ｄ−ＶＯＲ装置の運用への影響も軽減される。
【００２２】
なお、この発明は上記実施形態に限定されるものではない。例えば、上記実施形態では、Ｄ−ＶＯＲ装置の表示装置でオン状態の表示画面とオフ状態の表示画面とを識別表示することにより、電波放射状態と電波放射部位と電波放射動作とを認識可能とする例について説明したが、本装置がＶＯＲ装置である場合でも同様に実施可能である。
【００２３】
また、オン状態表示画面で、電波放射状態、電波放射部位、電波放射動作を同時に認識できるよう識別表示する例について説明したが、これら３つの効果のうちいずれか１つ又はいずれかを組み合わせた効果が得られるように識別表示することも可能である。例えば、サイドバンドアンテナの周囲に矢印のシンボルを表示することにより、電波放射動作のみを表示することが挙げられる。
【００２４】
また、オン状態表示画面において、２個ずつ２組の合計４個のサイドバンドアンテナが同時に色識別表示され、回転する例について説明したが、サイドバンドアンテナの色識別表示が上記以外のものでも同様に実施可能である。例えば、上記２組のサイドバンドアンテナが回転するのは、Ｄ−ＶＯＲ装置に特有の動作である。ＶＯＲ装置の場合には、回転するサイドバンドアンテナは１組となる。
【００２５】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２６】
【図１】本発明に係るＤ−ＶＯＲ装置の一実施形態の構成を示すブロック図。
【図２】上記一実施形態のオフ状態表示画面を示す概念図。
【図３】上記一実施形態のオン状態表示画面を示す概念図。
【図４】上記一実施形態の判別装置の処理動作を示すフローチャート。
【符号の説明】
【００２７】
１０…アンテナ、２０…制御装置、３０…判別装置、３２１…制御センサ、３２…アンテナセンサ、４０…表示装置。
【図１】
2009031105.tif 000003
【図２】
2009031105.tif 000004
【図３】
2009031105.tif 000005
【図４】
2009031105.tif 000006